(57)【特許請求の範囲】
【請求項１】
第１の記憶媒体が接続される撮像装置であって、
ユーザによる設定が可能な複数個の項目に関する情報を含むユーザ設定項目情報が前記撮像装置に接続された前記第１の記憶媒体に記憶されるように制御する制御手段と、
複数の初期化処理の中から選択された初期化処理を行う初期化手段と
を有し、
前記複数の初期化処理の一つは、前記第１の記憶媒体に記憶されている前記ユーザ設定項目情報が前記第１の記憶媒体から削除されるように前記第１の記憶媒体の初期化を行う第１の初期化処理であり、
前記複数の初期化処理の一つは、前記第１の記憶媒体に記憶されている前記ユーザ設定項目情報が前記撮像装置内の第２の記憶媒体に記憶された後に前記第１の記憶媒体の初期化を行い、前記第２の記憶媒体に記憶された前記ユーザ設定項目情報が前記第１の記憶媒体の初期化が行われた後に前記第１の記憶媒体に記憶されるようにする第２の初期化処理である撮像装置。
【請求項２】
前記第１の記憶媒体に記憶される前記ユーザ設定項目情報をユーザに選択させる選択手段をさらに有し、
前記制御手段は、前記選択手段を用いて選択された前記ユーザ設定項目情報が前記第１の記憶媒体に記憶されるように制御する請求項１に記載の撮像装置。
【請求項３】
前記第１の記憶媒体に記憶される前記ユーザ設定項目情報を暗号化する暗号化手段をさらに有する請求項１または２に記載の撮像装置。
【請求項４】
前記複数の初期化処理のうちの一つをユーザに選択させる選択手段をさらに有し、
前記第１の初期化処理が選択された場合、前記初期化手段は、前記第１の初期化処理を行い、
前記第２の初期化処理が選択された場合、前記初期化手段は、前記第２の初期化処理を行う請求項１から３のいずれか１項に記載の撮像装置。
【請求項５】
前記複数個の項目の一つは、シャッタスピード、撮影モード、測光モード、ドライブモード、ＩＳＯ値、ＩＳＯブラケット、ＡＥブラケット、ホワイトバランスブラケット、カラーマトリックス、トーンカーブ、シャープネス、コントラスト、撮影画像の確認、撮影画像の確認時間、ノイズ低減機能、マニュアルホワイトバランス、ハイライト警告表示、ＡＦフレームの表示、ミラーアップ撮影と通常撮影の切り替え、スポット測光に関する設定、ストロボに関する設定、シャッター速度の上限と下限、絞り数値の上限と下限、連続撮影速度、連続撮影時の撮影枚数のいずれかに関する項目である請求項１から４のいずれか１項に記載の撮像装置。
【発明の詳細な説明】
【技術分野】
【０００１】
本発明は、撮像装置に関する。
【背景技術】
【０００２】
撮像装置、特にデジタルスチルカメラ（以下、単に「カメラ」という）は、銀塩カメラに比べて、カメラの諸機能が元々多いのに加えて、近年さらに新規に追加される傾向にある。そのため、ユーザによるカメラの諸機能の各種パラメータ設定のための操作も増加し、煩雑であった。そこで、メモリカードなどの記憶媒体に各種設定データを記憶し、その記憶媒体を他のカメラに装着させることで、簡単に設定データを他のカメラに移す機技術が知られている（例えば、特許文献１参照）。
【特許文献１】特開平７−７９３７５号公報
【発明の開示】
【発明が解決しようとする課題】
【０００３】
しかしながら、特許文献１に開示の技術では、設定データのうち、他のカメラに移したい設定データを選択することができない。したがって、設定データの項目が共通しない異機種のカメラ間で設定データのやりとりが困難であった。
そこで、本発明は、ユーザによる設定が可能な複数個の項目に関する情報を含むユーザ設定項目情報を他の撮像装置にも提供できるようにすることを目的とする。
【課題を解決するための手段】
【０００４】
本発明に係る撮像装置は、第１の記憶媒体が接続される撮像装置であって、ユーザによる設定が可能な複数個の項目に関する情報を含むユーザ設定項目情報が前記撮像装置に接続された前記第１の記憶媒体に記憶されるように制御する制御手段と、複数の初期化処理の中から選択された初期化処理を行う初期化手段とを有し、前記複数の初期化処理の一つは、前記第１の記憶媒体に記憶されている前記ユーザ設定項目情報が前記第１の記憶媒体から削除されるように前記第１の記憶媒体の初期化を行う第１の初期化処理であり、前記複数の初期化処理の一つは、前記第１の記憶媒体に記憶されている前記ユーザ設定項目情報が前記撮像装置内の第２の記憶媒体に記憶された後に前記第１の記憶媒体の初期化を行い、前記第２の記憶媒体に記憶された前記ユーザ設定項目情報が前記第１の記憶媒体の初期化が行われた後に前記第１の記憶媒体に記憶されるようにする第２の初期化処理である。
【発明の効果】
【０００５】
本発明によれば、ユーザによる設定が可能な複数個の項目に関する情報を含むユーザ設定項目情報を他の撮像装置にも提供することができる。
【発明を実施するための最良の形態】
【０００６】
以下、本発明の実施の形態を図面を参照しながら詳細に説明する。
【０００７】
図１は、本発明の実施の形態に係るデジタルスチルカメラの内部構成を概略的に示すブロック図である。
【０００８】
図１において、デジタルスチルカメラは、撮像部１００、バッファメモリ１０１、画像処理部１０２、バッファメモリ１０３、操作部１０４を備える。また、表示部１０５、表示制御部１０６、システム制御部１０７、インタフェース１０８、及びユーザ設定項目記憶制御部１１０を備える。これらの構成要素は、システムバスを介して互いに接続されている。また、デジタルスチルカメラは、コンパクトフラッシュ（登録商標）等のリムーバブルな外部記憶媒体１０９が装着可能に構成されており、この外部記憶媒体１０９はインタフェース１０８に接続される。
【０００９】
撮像部１００は、撮影に必要なＣＣＤやＣＭＯＳ等の撮像素子やレンズ等の光学部材及び各種電子機器を含む。バッファメモリ１０１は、撮影した画像データを格納する前バッファである。画像処理部１０２は、バッファメモリ１０１に格納された画像データを画像処理すると共に画像圧縮する。バッファメモリ１０３は、画像処理及び画像圧縮後の画像データを格納する後バッファである。操作部１０４は、撮影操作、シャッタスピードや露出等の切り替え操作等のような、デジタルスチルカメラ本体の操作を行う。表示部１０５は、撮影画像の表示及びカメラ操作パラメータの設定や確認のためのメニュー表示や警告等を表示する。表示制御部１０６は、表示部１０５の表示を制御する。システム制御部１０７は、デジタルスチルカメラ全体制御する。ユーザ設定項目記憶制御部１１０は、ユーザが操作部１０４を用いて設定可能なすべてのユーザ設定項目を記憶すると共に、それらのユーザ設定項目を選択的に外部記憶媒体１０９に記憶させるための制御を行う。
【００１０】
デジタルスチルカメラは、内部記憶媒体として、ユーザが設定可能なユーザ設定項目のファイルを保存するカメラ内記憶領域を備える。このカメラ内記憶領域は、ユーザが設定可能なユーザ設定項目のファイルを分割して保存する複数の不揮発性メモリで構成されてもよい。また、ユーザが設定可能なすべてのユーザ設定項目ファイルを保存する単一の不揮発性メモリで構成されてもよい。
【００１１】
ユーザが設定可能なユーザ設定項目は、図２に示すように、撮影に必要なもの（基本設定項目）がある。例えば、シャッタスピード、撮影モード、測光モード、ドライブモード（単写、連写、セルフタイマ）、ＩＳＯ値、補正値、ＩＳＯブラケット、ＡＥブラケット、ホワイトバランスブラケット等である。このユーザ設定項目は、また、現像に必要なものとして、カラーマトリックス、現像パラメータ（トーンカーブ、シャープネス、コントラスト等）を含む。このユーザ設定項目は、さらに、製品に固有のものとして、図２に示すように、撮影画像の確認、撮影画像の確認時間、ノイズ低減機能、マニュアルホワイトバランスのデータ、ハイライト警告表示、ＡＦフレームの表示などを含む。さらにはヒストグラムの表示種類、オートパワーオフの時間、画像のバックアップ機能、縦横自動回動表示、液晶モニタの明るさ、対応言語、ビデオの出力方式、その他カスタムファンクション機能の項目を含む。
【００１２】
カスタムファンクション機能は、レリーズ中のファインダ表示、ＩＳＯ感度拡張モード、ダイヤル機能の割り付け、設定値の段数切替、表示パネルの表示内容切替、ブラケット撮影での補正順序切替、ＡＦフレームスーパーインポーズの設定を含む。、また、ミラーアップ撮影と通常撮影の切替、スポット測光に関する設定、ストロボに関する設定、ホームポジションへ移動するための釦設定、新レンズに対する釦設定、ＡＩサーボでの被写体追従敏感度等も含む。
【００１３】
パーソナルファンクション機能は、カスタム機能の登録、撮影モードの限定、測光モードの限定、マニュアル露出時の測光モードを含む。また、シャッター速度の上限と下限値、絞り数値の上限と下限値、撮影モードと測光モードの登録と切替、連続撮影時の繰り返しブラケッティング時の撮影枚数も含む。また、プログラムシフト量の保持、レンズ駆動によるピント検出禁止、ＡＦ補助光・投光禁止、ピント固定、合焦語自動撮影、ＡＦフレーム自動選択の禁止、連続撮影速度、連続撮影時の撮影枚数、シャッター釦オフでの静粛動作も含む。また、各種タイマー保持時間の設定、バルブ中の表示パネル照明の継続、データクリアに関する設定、レリーズタイムラグの高速化、電子ダイヤルの設定方向の反転も含む。また、サブ電子ダイヤルによる露出補正を禁止する設定、サブ電子ダイヤルスイッチをメインダイヤルスイッチにも有効にする設定、オリジナル画像判定用データの負荷設定等を含む。
【００１４】
図３は、図１におけるユーザ設定項目記憶制御部１１０によって実行されるユーザ設定項目の記憶処理の手順を説明するフローチャートである。
【００１５】
図３において、まず、ユーザが操作部１０４の操作により設定項目メニューを表示部１０５に表示し、ユーザにより保存すべきユーザ設定項目が選択される（ステップＳ１０１）。ここで、外部記憶媒体１０９の記憶領域の空き容量を確認し（ステップＳ１０２）、十分な空き容量があるか否かを判別する（ステップＳ１０３）。
【００１６】
ステップＳ１０３の判別の結果、十分な空き容量があるときは、ユーザ設定項目記憶制御部１１０は、ステップＳ１０１で選択されたユーザ設定項目を抽出し、カメラ内部の記憶媒体である不揮発性メモリ（図示せず）に記憶する（ステップＳ１０４）。次いで、ユーザ設定項目記憶制御部１１０は、該抽出されたユーザ設定項目をカメラ設定項目のための構造体の形式で保存したファイルを作成する（ステップＳ１０５）。そして外部記憶媒体１０９に既にユーザ設定項目を保存したファイルが存在するか否かを判別する（ステップＳ１０６）。カメラ設定項目のための構造体の形式には、例えば、設定項目が記載されたファイルであることを示す識別情報と、設定項目の内容を示すテキストデータとが記載されたテキストファイルなどを用いることが可能である。
【００１７】
ステップＳ１０６の判別の結果、既にユーザ設定項目を保存したファイルが存在しないときは、作成したファイルを外部記憶媒体１０９に記憶させて（ステップＳ１０８）、本処理を終了する。ステップＳ１０８の処理において、作成したファイルを外部記憶媒体１０９に記憶させる前に暗号化処理を施してもよい。
【００１８】
ステップＳ１０６の判別の結果、既にユーザ設定項目を保存したファイルが存在するときは、存在する旨の警告を表示部１０５に警告表示する。それと同時に又は別々に、作成したファイルを既存のファイルに上書きするか、新規のファイルとして別ファイルを作成するかの選択メニューを表示部１０５に表示して、ユーザに選択させる（ステップＳ１１０）。上記警告表示の際に、存在するファイルの内容を表示部１０５に表示してもよい。これにより、任意に表示された複数のファイルから１つのファイルの選択が容易となり、上書きの際に、上書き先のファイルの選択が容易になる。
【００１９】
ステップＳ１１０の選択の結果、ユーザが「上書き」を選択したときは、作成したファイルの既存のファイルへの上書きにより、ファイルを外部記憶媒体１０９に記憶させて（ステップＳ１０８）、本処理を終了する。ステップＳ１１０の選択の結果、ユーザが「別ファイル作成」を選択したときは、新規のファイルとして別ファイルの作成した（ステップＳ１１１）上で、ファイルを外部記憶媒体１０９に記憶させて（ステップＳ１０８）、本処理を終了する。
【００２０】
ステップＳ１０３の判別の結果、十分な空き容量がないときは、後述する図４の外部記憶媒体記憶領域の初期化処理を実行することにより十分な空き容量を確保して（ステップＳ１０９）、本処理を終了する。ステップＳ１０９の処理において、十分な空き容量が確保できない場合は、ユーザ設定項目記憶制御部１１０は、表示部１０５にリムーバブルディスク１０９にユーザ設定項目を保存するための空き容量が足りないことを警告するのが好ましい。
【００２１】
図３の処理によれば、カメラ内記憶領域に保存されたユーザ設定項目を選択的に外部記憶媒体１０９に記憶させる（ステップＳ１０８）ので、ユーザ設定項目を別のデジタルスチルカメラに容易に複製することができる。
【００２２】
図４は、図３のステップＳ１０９で実行される外部記憶媒体１０９の記憶領域の初期化処理の手順を示すフローチャートである。
【００２３】
図４において、外部記憶媒体１０９の記憶領域にユーザ設定項目を保存したファイルが存在するか否かを判別する（ステップＳ２０１）。存在しないときは、直ちに、外部記憶媒体１０９の記憶領域を初期化して（ステップＳ２０２）、初期化完了を表示部１０５に表示して（ステップＳ２０７）、本処理を終了する。
【００２４】
ステップＳ２０１の判別の結果、外部記憶媒体１０９の記憶領域にユーザ設定項目を保存したファイルが存在するときは、存在する旨の警告を表示部１０５に表示する。さらに、外部記憶媒体１０９内のファイルを残さずに完全に初期化するか、既に存在するユーザ設定項目の保存ファイルを初期化後残しておくか否かの選択メニューを表示して、ユーザに選択させる（ステップＳ２０３）。
【００２５】
ステップＳ２０３の選択の結果、ファイルを残さずに完全に初期化するときは、ユーザ設定項目記憶制御部１１０は、外部記憶媒体１０９の記憶領域を初期化して（ステップＳ２０２）、本処理を終了する。ファイルを初期化後も残すときは、ユーザ設定項目記憶制御部１１０は、カメラ内記憶領域に必要な領域を確保して外部記憶媒体１０９からファイルを読み出して一時的に退避させる（ステップＳ２０４）。退避後、外部記憶媒体１０９の記憶領域を初期化して（ステップＳ２０５）、一時的に退避させたファイルを読み出して初期化後の外部記憶媒体１０９に記憶し直す（ステップＳ２０６）。そして初期化完了を表示部１０５に表示して（ステップＳ２０７）、本処理を終了する。
【００２６】
図４の処理によれば、外部記憶媒体１０９に複製に必要なユーザ設定項目が記憶されていたとしても、外部記憶媒体１０９の初期化時に誤ってユーザ設定項目が削除されるのを防止することができる。
【００２７】
ユーザ設定項目（図２）は、異機種のカメラ同士ではその内容が異なるが、カメラとしての基本設定項目はすべての機種で共通である。
【００２８】
図５は、図１におけるユーザ設定項目記憶制御部１１０によって実行されるユーザ設定項目の反映処理の手順を示すフローチャートである。
【００２９】
図５において、まず、ユーザ設定項目記憶制御部１１０は、外部記憶媒体１０９の記憶領域に記憶されたユーザ設定項目ファイルを検索し（ステップＳ３０１）、検索されたユーザ設定項目ファイルを表示部１０５に表示する（ステップＳ３０２）。次いで、表示内容に基づいて読み出すべきファイルがユーザによって選択されると（ステップＳ３０３）、ユーザ設定項目記憶制御部１１０は、選択されたユーザ設定項目をカメラ内記憶領域に読み込む（ステップＳ３０４）。そして、読み込まれたユーザ設定項目に基づいて機種に関するデータを抽出し、自機の機種に関するデータと比較する。そして両者が同機種か否かを判別する（ステップＳ３０５）。
【００３０】
ステップＳ３０６の判別の結果、カメラが同機種のときは、図６に示すように、機種共通の基本設定項目と機種別の製品固有のユーザ設定項目のすべてを複製し外部記憶媒体１０９に記憶させることで、ユーザ設定を反映させる（ステップＳ３０７）。カメラが異機種のときは、図７に示すように、ユーザ設定項目の基本設定項目のみ反映して、機種別の製品固有のユーザ設定項目は反映せず（ステップＳ３０８）、本処理を終了する。
【００３１】
このように本実施の形態では、ユーザ設定項目に含まれるカメラの機種情報を参照することにより、異機種間でユーザ設定項目のやりとりを行う場合には、自動的に反映するユーザ設定項目を選択する構成とした。この構成により、反映の際に不要な項目を読み出すことがなくなる。
【００３２】
なお、反映させるユーザ設定項目については、ステップＳ３０１で検索されたユーザ設定項目のうち、反映先のデジタルスチルカメラで決められているものを反映してもよい。
【００３３】
なお、本実施の形態では自機をユーザ設定項目を外部記憶媒体１０９に記憶するカメラと、外部記憶媒体に記憶された他機のユーザ設定項目を自機に反映させるカメラとを別のカメラとして記載した。しかし、両方のカメラの機能を備えたカメラでもよいことはいうまでもない。
【図面の簡単な説明】
【００３４】
【図１】本発明の実施の形態に係るデジタルスチルカメラの内部構成を概略的に示すブロック図である。
【図２】ユーザが設定可能なユーザ設定項目を説明する図である。
【図３】図１におけるユーザ設定項目記憶制御部１１０によって実行されるユーザ設定項目の記憶処理の手順を説明するフローチャートである。
【図４】図３のステップＳ１０９で実行される外部記憶媒体の記憶領域の初期化処理の手順を示すフローチャートである。
【図５】図１におけるユーザ設定項目記憶制御部１１０によって実行されるユーザ設定項目の反映処理の手順を示すフローチャートである。
【図６】図５のステップＳ３０７の処理を説明する図である。
【図７】図５のステップＳ３０８の処理を説明する図である。
【符号の説明】
【００３５】
１００  撮像部
１０１，１０３  バッファメモリ
１０２  画像処理部
１０４  操作部
１０５  表示部
１０６  表示制御部
１０７  システム制御部
１０８  インタフェース
１１０  ユーザ設定項目記憶制御部
【図１】
0004785664.tif 000002
【図２】
0004785664.tif 000003
【図３】
0004785664.tif 000004
【図４】
0004785664.tif 000005
【図５】
0004785664.tif 000006
【図６】
0004785664.tif 000007
【図７】
0004785664.tif 000008